(57)【特許請求の範囲】
【請求項１】
受信したＩＳＤＢ信号からＴＭＣＣキャリアを分割して抽出するキャリア分割手段と、
前記ＴＭＣＣキャリアをＤＢＰＳＫ復調するＤＢＰＳＫ復調手段と、
前記ＤＢＰＳＫ復調手段から得られた１フレームの前記ＴＭＣＣキャリアを格納する１フレーム蓄積手段と、
前記１フレーム蓄積手段内の前記ＴＭＣＣキャリアを、１フレーム分遅延する１フレーム遅延手段と、
前記１フレーム蓄積手段および前記１フレーム遅延手段から得られる２フレームの前記ＴＭＣＣキャリアとの間のＸＯＲ演算を実行するＸＯＲ演算手段と、
前記ＸＯＲ演算手段の演算結果をサーチし、所定パターンの位置を検出するパターン検出手段と、
前記パターン検出手段から出力された検出結果を基に、前記ＩＳＤＢ信号のフレームの先頭位置までのずれをフレーム誤差として出力するフレーム誤差変換手段とを備えたデジタル放送受信機。
【請求項２】
パターン検出手段が検出する所定パターンは、ＴＭＣＣキャリア内の同期情報が１６ビットの場合“１０１０１０１０１０１０１０１０”であり、前記ＴＭＣＣキャリア内で、前記同期情報以外のビットは、全て０であることを特徴とする請求項１記載のデジタル放送受信機。
【発明の詳細な説明】
【０００１】
【発明の属する技術分野】
この発明は、国内デジタル放送であるＩＳＤＢ（Ｉｎｔｅｇｒａｔｅｄ  Ｓｅｒｖｉｃｅ  Ｄｉｇｉｔａｌ  Ｂｒｏａｄｃａｓｔｉｎｇ）におけるデジタル放送受信機に関するものである。
【０００２】
【従来の技術】
デジタル放送で伝送される信号は、時間的なデジタル信号のまとまりであるフレーム内に組み込まれて伝送される。フレームは、変調の単位であるシンボルが複数集合して構成されている。フレームやシンボルは、デジタル信号処理における処理単位となるため、デジタル放送受信機側で、フレームの区切りやシンボルの区切りを検出することは、周波数同調と共に重要な制御の１つである。
【０００３】
フレームの区切りは、放送方式により異なっている。例えば、代表的な例として、欧州デジタル音声放送であるＤＡＢ（Ｄｉｇｉｔａｌ  Ａｕｄｉｏ  Ｂｒｏａｄｃａｓｔｉｎｇ）では、フレームの先頭に搬送波の全く無いＮＵＬＬシンボルが挿入されている。
【０００４】
図６は、欧州デジタル音声放送であるＤＡＢで使用されているフレームの構成を示す説明図である。このように、欧州デジタル音声放送であるＤＡＢでは、受信機側のハードウェアで、このＮＵＬＬシンボルを検出してフレームの区切りを確認している。
【０００５】
一方、日本の国内デジタル放送であるＩＳＤＢでは、ＩＳＤＢ信号のキャリアの１つとしてＴＭＣＣキャリア（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ  Ｃａｒｒｉｅｒ）がある。このＴＭＣＣキャリアは、フレームの同期情報等を伝送するためキャリアである。
【０００６】
図７は、ＩＳＤＢ信号のキャリア構成を示す説明図であり、図において、横軸はキャリア番号（周波数方向）、縦軸はシンボル番号（時間方向）、ＣＰ（Ｃｏｎｔｉｎｕａｌ  Ｐｉｌｏｔ）はパイロット信号、ＡＣ（ＡｕｘｉｌｌｉａｒｙＣｈａｎｎｅｌ）は付加情報を示している。尚、図７において、ＴＭＣＣはＴＭＣＣキャリアを示す。図７に示すＴＭＣＣキャリアでは、１キャリア、１シンボル当たり１ビットの情報を伝送することができる。
【０００７】
図８はＴＭＣＣキャリアの時間方向の構成を示す説明図である。ＴＭＣＣキャリア内にセットされるフレーム同期のための同期情報である同期信号は、以下に示すように、互いにビット反転された２種類の信号、即ち、同期信号１、同期信号２が用いられる。
同期信号１：００１１０１０１１１１０１１１０
同期信号２：１１００１０１００００１０００１
ＴＭＣＣキャリア内の同期信号以外のフィールドに、上記した同期信号のパターンと同一のパターンを持つ信号が存在する可能性もあるので、フレーム毎に、ビット反転した同期信号１，２を交互に使用することが決められている。
【０００８】
図９は、フレーム毎にビット反転された同期信号が挿入されている例を示す説明図であり、図において、フレーム１、フレーム２、フレーム３のそれぞれの同期信号（１６ビット構成）は以下の様になっている。
フレーム１の同期信号：００１１０１０１１１１０１１１０
フレーム２の同期信号：１１００１０１００００１０００１
フレーム３の同期信号：００１１０１０１１１１０１１１０
【０００９】
国内デジタル放送であるＩＳＤＢで使用される、図８に示したＴＭＣＣキャリアは、差動２相位相変調方式（ＤＢＰＳＫ：Ｄｉｆｆｅｒｅｎｔｉａｌ  Ｂｉｎａｒｙ  Ｐｈａｓｅ  Ｓｈｉｆｔ  Ｋｅｙｉｎｇ）に基づいて変調され送信される。このＴＭＣＣキャリアでは、図８で示した１６ビット構成の同期信号の直前に１ビットの差動基準ビットがあり、その中に０あるいは１をセットする。そして、この差動基準ビットの値から差動符号の初期値を得ることができる。
【００１０】
図１０は、ＴＭＣＣキャリア内の同期信号のＤＢＰＳＫ変調方法を示す説明図である。差動基準ビットにセットされた値が０の場合、図１０に示す方法で１６ビット構成の同期信号を変調することができる。即ち、差動基準ビットから得られた初期値０が、同期信号の第１番目のビット値と同一の値であれば、即ち、値が変化しなければ変調結果は０となり、次のビット値と値が異なれば、即ち、値が変化すれば変調結果は１となる。
【００１１】
同期信号に対してこのＤＢＰＳＫ変調を実行すると、以下の様な変調後の同期信号を得ることができる。尚、以下では、最初の１ビットは差動基準ビット、２ビット目以降の１６ビットは同期信号である。
差動基準ビット値が０の場合：
0003664931.tif 000002
また、差動基準ビット値が０の場合で、上記の例と異なる同期信号を変調した結果は以下のとおりになる。
0003664931.tif 000003
【００１２】
また、差動基準ビット値が１の場合では、同期信号の変調結果は以下のとおりになる。
差動基準ビット値が１の場合：
0003664931.tif 000004
また、差動基準ビット値が１の場合で、上記の例と異なる同期信号を変調した結果は以下のとおりになる。
0003664931.tif 000005
【００１３】
図１１は、ＴＭＣＣキャリア内の同期信号のＤＢＰＳＫ復調方法を示す説明図である。図１０に示したＤＢＰＳＫ変調で得られた同期信号をＤＢＰＳＫ復調する場合、差動復調の差動基準ビットは、キャリア毎に変化する仕様となっているので、即ち、１つのＯＦＤＭキャリア構成の中に、１ないし複数のＴＭＣＣキャリアが存在し、これらの持つキャリア番号に応じて差動基準ビットの値が変化するので、差動基準ビットの値が０ならばそのまま、１ならばＤＢＰＳＫ復調前のデータを全て反転させた後、復調を開始するビット（即ち、差動基準ビットであり、反転させた場合、反転させた差動基準ビット）の値を基準にして、後続のビット列に対して差動復調を実行する。この差動復調では、上記した差動復調方法と同様に、現在のビットの値が直前のビットの値と比較して変化しない場合は０、変化する場合は１とする。
【００１４】
上記したように、ＩＳＤＢのデジタル放送受信機では、先ず、フレーム同期処理において、同期信号と同一パターンを検出し、同期信号をフレーム毎に確認する。この場合、差動基準ビットを算出した後に、後続のビットに対して差動復調を行い、差動復調の結果、同期信号のパターンに一致した場合に、フレーム同期が確立されることになる。
【００１５】
以下では、ＩＳＤＢのデジタル放送受信機におけるフレーム同期処理をさらに詳細に説明する。
図１２は、ＩＳＤＢのデジタル放送受信機におけるフレーム同期処理を示すフローチャートである。先ず、１フレームのＴＭＣＣキャリアを取得する（ステップＳＴ１１１）。次に、ＴＭＣＣキャリア内で差動基準ビットを算出し（ステップＳＴ１１２）、この差動基準ビットの値を基に、ＴＭＣＣキャリア内の後続のビット列に対して差動２相位相復調（ＤＢＰＳＫ復調）を行う（ステップＳＴ１１３）。
【００１６】
次に、２種類の同期信号のいずれのパターン（００１１．．．で始まる１６ビットのパターン、あるいは、１１００．．．で始まる１６ビットのパターン）に一致するかを調べ（ステップＳＴ１１４）、いずれかに一致した場合、処理の流れはステップＳＴ１１５へ進み、一致しない場合、処理の流れはステップＳＴ１１１へ戻る。
【００１７】
ステップＳＴ１１５では、次の１フレーム分のＴＭＣＣキャリアを取得する。そして、取得した１フレーム分のＴＭＣＣキャリアから差動基準ビット値を算出し（ステップＳＴ１１６）、その後、ＴＭＣＣキャリアのビットを反転した後にＤＢＰＳＫ復調を行う（ステップＳＴ１１７）。そして、ＤＢＰＳＫ復調結果内の同期信号のパターンが、ステップＳＴ１１４で検出されたＤＢＰＳＫ復調結果の同期信号のパターンの反転したパターンと一致するか否かをチェックする（ステップＳＴ１１８）。つまり、ＴＭＣＣキャリア内の同期信号は、フレーム毎に、ビット反転したパターンとして送信されてくるはずなので、ステップＳＴ１１４で検出されたＤＢＰＳＫ復調後の同期信号のパターンの反転したパターンが、ステップＳＴ１１７で得られるＤＢＰＳＫ復調後の同期信号のパターンとなるはずである。チェックの結果、一致したことが判明した場合、処理の流れはステップＳＴ１１９へ進み、一致しない場合、処理の流れはステップＳＴ１１１へ戻る。
【００１８】
ステップＳＴ１１９では、同期信号の位置からフレーム誤差を検出し、取得した１フレーム分のＴＭＣＣキャリアに対して、フレーム誤差分の補正を行い、これによりフレーム同期処理は完了する。
【００１９】
ところで、欧州デジタル音声放送であるＤＡＢでは、図６に示したようにフレームの先頭に搬送波の全く無いＮＵＬＬシンボルが挿入されているため、受信機側のハードウェアを用いて、容易にこのＮＵＬＬシンボルを検出することができる。
【００２０】
図１３は、ＤＡＢ受信機がＮＵＬＬシンボルを検出してＮＵＬＬ信号を生成する例を示す説明図である。図１４は、ＤＡＢ受信機におけるフレーム同期処理を示すフローチャートである。ＤＡＢ受信機におけるフレーム同期処理では、先ず、ＤＡＢ受信機がＮＵＬＬシンボルに対応するＮＵＬＬ信号の立下がりを検出し（ステップＳＴ１３１）、立下がり位置から受信したデジタル信号の誤差の検出・補正動作を行う（ステップＳＴ１３２）。
【００２１】
これにより、ＤＡＢ受信機側でのフレーム同期が完了する。このように、ＤＡＢにおけるフレームの先頭シンボルには搬送波が全く存在しないので、ＤＡＢ受信機内のハードウェアでＮＵＬＬシンボルを容易に検出することができ、ＤＡＢ受信機側でのフレーム同期に必要な時間はほとんどかからない。
【００２２】
これに対して、国内デジタル放送であるＩＳＤＢに用いるデジタル放送受信機では、図１２のフローチャートに示したように、アンテナ等を介して受信したＩＳＤＢ信号をＤＢＰＳＫ復調し、フレーム毎に、ＤＢＰＳＫ復調した結果と同期信号のパターンとを比較して、同期信号を検出する処理が必要である。
【００２３】
【発明が解決しようとする課題】
従来のＩＳＤＢのデジタル放送受信機は以上のように構成されているので、受信したＩＳＤＢ信号のフレーム同期を行う場合、連続した２フレームのＴＭＣＣキャリアの各々の差動基準ビットを算出し、差動基準ビットに続く同期情報を示すビット列に対してＤＢＰＳＫ復調を行った後に、同期信号と同一のパターンの存在の有無を各々のＴＭＣＣキャリアに関して検出する必要があるので、起動するまでに時間がかかるという課題があった。
【００２４】
この発明は上記のような課題を解決するためになされたもので、受信したＩＳＤＢ信号のフレーム同期を容易に確立し、迅速に起動することのできるデジタル放送受信機を得ることを目的とする。
【００２５】
【課題を解決するための手段】
この発明に係るデジタル放送受信機は、キャリア分割手段と、ＤＢＰＳＫ復調手段と、１フレーム蓄積手段と、１フレーム遅延手段と、ＸＯＲ演算手段と、パターン検出手段と、フレーム誤差変換手段とを備えるものである。キャリア分割手段は、受信したＩＳＤＢ信号からＴＭＣＣキャリアを分割して抽出し、ＤＢＰＳＫ復調手段は、前記キャリア分割手段から得られた前記ＴＭＣＣキャリアをＤＢＰＳＫ復調する。１フレーム蓄積手段は、前記ＤＢＰＳＫ復調手段から得られた１フレームの前記ＴＭＣＣキャリアを格納し、１フレーム遅延手段は、前記１フレーム蓄積手段内の前記ＴＭＣＣキャリアを１フレーム分遅延する。そして、ＸＯＲ演算手段は、前記１フレーム蓄積手段および前記１フレーム遅延手段から得られる２フレームの前記ＴＭＣＣキャリアとの間のＸＯＲ演算を実行し、パターン検出手段は、前記ＸＯＲ演算手段の演算結果をサーチし、所定パターンの位置を検出する。そして、フレーム誤差変換手段は、前記パターン検出手段から出力された検出結果を基に、前記ＩＳＤＢ信号のフレームの先頭位置までのずれをフレーム誤差として出力することを特徴とするものである。
【００２６】
この発明に係るデジタル放送受信機は、パターン検出手段により検出される所定パターンは、ＴＭＣＣキャリア内の同期情報が１６ビットの場合“１０１０１０１０１０１０１０１０”であり、前記ＴＭＣＣキャリア内で、前記同期情報以外のビットは、全て０であることを特徴とするものである。
【００２７】
【発明の実施の形態】
以下、この発明の実施の一形態を説明する。
実施の形態１．
図１は、この発明の実施の形態１によるデジタル放送受信機を示すブロック図であり、図において、１はチューナ、２はアナログ／デジタル（Ａ／Ｄ）コンバータ、３はＩ／Ｑ分離器、４はＦＦＴ処理器、５はキャリア分割器（キャリア分割手段）、６はＤＢＰＳＫ復調器（ＤＢＰＳＫ復調手段）、７は１フレーム蓄積器（１フレーム蓄積手段）、８は１フレーム遅延回路（１フレーム遅延手段）、９はＸＯＲ演算器（ＸＯＲ演算手段）、１０はパターン検出器（パターン検出手段）、１１はフレーム誤差変換器（フレーム誤差変換手段）である。図２は、図１に示したデジタル放送受信機内のフレーム同期検出部１２内の信号の流れを示すブロック図である。
【００２８】
図３は、国内デジタル放送であるＩＳＤＢ信号を生成し伝送するためのデジタル放送送信機であり、図において、３１はキャリア変調器、３２はＣＰ（Ｃｏｎｔｉｎｕａｌ  Ｐｉｌｏｔ）等のパイロット信号のためのＢＰＳＫ変調器、３３はＴＭＣＣキャリア等の制御信号のためのＤＢＰＳＫ変調器、３４はＡＣ（Ａｕｘｉｌｌｉａｒｙ  Ｃｈａｎｎｅｌ）等の付加情報のためのＤＢＰＳＫ変調器、３５はＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）フレームを作成するＯＦＤＭフレーム構成器、３６は逆ＦＦＴ処理演算器、３７はガードインターバル付加器、３８はアップコンバータである。
【００２９】
次に、動作について説明する。
ＩＳＤＢにおけるデジタル放送送信機では、主信号、パイロット信号のデータをキャリア変調器３１、ＢＰＳＫ変調器３２でそれぞれ位相変調し、また、制御信号、付加情報等のデータをＤＢＰＳＫ変調器３３，３４でそれぞれ差動２相位相変調（以下、ＤＢＰＳＫ変調という。）し、変調して得られた主信号キャリア、パイロットキャリア、制御信号キャリア（ＴＭＣＣキャリア）、付加情報キャリア（ＡＣ）等のキャリアを、ＯＦＤＭフレーム構成器３５でＯＦＤＭフレーム内にセットする。セットされたフレーム内のキャリア構成は図７に示したとおりである。
【００３０】
尚、主信号に関しては、上記のキャリア変調器３１における処理より以前に、ＭＰＥＧ（Ｍｏｖｉｎｇ  Ｐｉｃｔｕｒｅ  Ｅｘｐｅｒｔｓ  Ｇｒｏｕｐ）多重化、バイトインターリーブ等の処理が行われ、また、キャリア変調後においても、各種のインターリーブ処理が行われるが、ここではそれらの説明を省略する。
【００３１】
次に、逆高速フーリエ変換を行う逆ＦＦＴ（Ｆａｓｔ  Ｆｏｕｒｉｅｒ  Ｔｒａｎｓｆｏｒｍ）処理演算器３６で各キャリアの逆高速フーリエ変換を行う。即ち、フレーム内の各キャリアに関して、周波数軸信号から時間軸信号への変換が行われる。次に、伝送におけるゴースト等の影響を軽減するため、ガードインターバル付加器３７が、逆高速フーリエ変換で得られた信号にガードインターバル期間を付加する。そして、アップコンバータ３８において、ＶＨＦ帯等の放送用周波数帯へのアップコンバージョン処理を行い、得られたＩＳＤＢ信号はアンテナ等を介して出力される。このデジタル放送送信機の構成および動作は、一般的なデジタル放送送信機のものと同じなので、ここではその詳細な説明を省略する。
【００３２】
次に、図１に示すデジタル放送受信機におけるフレーム同期処理について説明する。図４は、図１のデジタル放送受信機におけるフレーム同期処理を示すフローチャートである。
【００３３】
先ず、図３に示すデジタル放送送信機から伝送されてきたＩＳＤＢ信号をアンテナを介して受信する。次に、ＩＳＤＢ信号は、チューナ１により中間周波数に変換された後、Ａ／Ｄコンバータ２によりデジタルデータに変換され、さらにＩ／Ｑ分離器３により実数部（同相成分：Ｉｎ  ｐｈａｓｅ）および虚数部（直交成分：Ｑｕａｄｒａｔｕｒｅ  ｐｈａｓｅ）に分離され、ＦＦＴ処理器４で高速フーリエ変換処理される。ここまでの構成は、ＤＡＢ受信機や一般的なデジタル放送受信機と同じであり、また、Ｉ／Ｑ分離器３とＡ／Ｄコンバータ２の位置が入れ替わった構成でも良い。
【００３４】
次に、ＦＦＴ処理器４で高速フーリエ変換処理されたデジタルデータは、キャリア分割器５により、主信号キャリア、パイロットキャリア、付加情報キャリア、制御信号キャリアであるＴＭＣＣキャリア等に分割され抽出される（ステップＳＴ１）。主信号キャリアは、後段の復調回路（図示せず）へ出力されるが、これも一般的なデジタル放送受信機の処理と同じなのでここではその説明を省略する。
【００３５】
キャリア分割器５により分割され抽出されたＴＭＣＣキャリアは、ＤＢＰＳＫ復調器６により差動２相位相復調（以下、ＤＢＰＳＫ復調という。）された後（ステップＳＴ２）、１フレーム蓄積器７内に格納される。この１フレーム蓄積器７内に格納された１フレーム分のＴＭＣＣキャリアは、１フレーム遅延回路８内で１フレーム分だけ遅延される。これにより、１フレーム遅延回路８から出力されるＴＭＣＣキャリアと、１フレーム蓄積器７内のＴＭＣＣキャリアとで、連続した２フレーム分のＴＭＣＣキャリアが得られる（ステップＳＴ３、ステップＳＴ４）。
【００３６】
以下に、ＤＢＰＳＫ復調処理の前後における２フレーム分のＴＭＣＣキャリアのパターンを示す。但し、フレーム同期に使用する１６ビット構成の同期信号の後に、形式識別符号として差動“１１１”を付与している。
0003664931.tif 000006
【００３７】
図５は、差動符号化後の２フレーム分のＴＭＣＣキャリアのＸＯＲ演算を示す説明図である。
ＸＯＲ演算器９が、１フレーム蓄積器７内のＴＭＣＣキャリアの信号パターンと、１フレーム遅延回路８から出力される１フレーム分遅延されたＴＭＣＣキャリアの信号パターンとの間で、図５に示すようなＸＯＲ演算を行う（ステップＳＴ５）。図５に示すように、ＸＯＲ演算結果は、ＴＭＣＣキャリアの信号内の同期信号部分に固定パターン“１０１０１０１０１０１０１０１０”が出現する。そして、同期信号以外の部分、例えば、差動基準ビット、形式識別符号、ＴＭＣＣ情報、パリティビットは全て値０となる。
【００３８】
そして、ＸＯＲ演算結果内に固定パターン“１０１０１０１０１０１０１０１０”の位置が、ＴＭＣＣキャリア内のどこにあるかをパターン検出器１０が検出し、検出結果をフレーム誤差変換器１１へ出力する（ステップＳＴ６）。
【００３９】
パターン検出器１０から出力された検出結果、即ち、固定パターン“１０１０１０１０１０１０１０１０”の検出位置情報を基に、デジタル放送受信機においてフレームの先頭と考えられている位置から、真のフレーム先頭位置が何シンボル分ずれているかをフレーム誤差として、フレーム誤差変換器１１が計算し、同期処理部（図示せず）へフィードバックする（ステップＳＴ７）。従って、ＸＯＲ演算で得られた結果の中で、上記の固定パターン“１０１０１０１０１０１０１０１０”の位置をサーチすることで、フレームの同期誤差の大きさを得ることができる。
【００４０】
以上説明したように、実施の形態１によれば、キャリア分割器５から得られたＴＭＣＣキャリアをＤＢＰＳＫ復調器６でＤＢＰＳＫ復調し、ＸＯＲ演算器９が、１フレーム蓄積器７および１フレーム遅延回路８から得られる２フレームのＴＭＣＣキャリアの間のＸＯＲ演算を実行し、パターン検出器１０が、ＸＯＲ演算結果をサーチして、固定パターン“１０１０１０１０１０１０１０１０”の有無を検出して、ＴＭＣＣキャリア内の同期情報である同期信号の位置を知り、フレーム同期処理を行うように構成したので、差動基準ビットを算出し、ＤＢＰＳＫ復調した後（一方のＴＭＣＣキャリアの同期信号に対しては、ビット値を反転させてＤＢＰＳＫ復調した後）、同期信号のパターンに一致するか否かの比較処理を、連続する２つのＴＭＣＣキャリアのそれぞれに対して行わなくても良いので、フレーム同期処理に要する時間を短縮することができ、デジタル放送受信機を迅速に立ち上げることができる。
【００４１】
【発明の効果】
以上のように、この発明によれば、ＩＳＤＢ信号を受信し、キャリア分割手段から得られたＩＳＤＢ信号内のＴＭＣＣキャリアをＤＢＰＳＫ復調手段でＤＢＰＳＫ復調し、次に、ＸＯＲ演算手段が１フレーム蓄積手段および１フレーム遅延手段から得られる２フレーム分のＴＭＣＣキャリアの間のＸＯＲ演算を実行し、パターン検出手段がＸＯＲ演算結果をサーチして、所定の固定パターンの有無を検出してＴＭＣＣキャリア内の同期情報である同期信号の位置を知り、フレーム同期処理を行うように構成したので、差動基準ビットを算出し、ＤＢＰＳＫ復調した後（一方のＴＭＣＣキャリアの同期信号に対しては、ビット値を反転させてＤＢＰＳＫ復調した後）、同期信号のパターンに一致するか否かの比較処理を、連続する２つのＴＭＣＣキャリアのそれぞれに対して行わなくても良いので、短時間でフレーム同期処理を完了することができ、高速で立ち上げ可能なデジタル放送受信機を得ることができるという効果がある。
【図面の簡単な説明】
【図１】  この発明の実施の形態によるデジタル放送受信機を示すブロック図である。
【図２】  図１に示したデジタル放送受信機内のフレーム同期検出部内の信号の流れを示すブロック図である。
【図３】  デジタル放送送信機を示すブロック図である。
【図４】  図１のデジタル放送受信機におけるフレーム同期処理を示すフローチャートである。
【図５】  ２フレーム分のＴＭＣＣキャリアのＸＯＲ演算を示す説明図である。
【図６】  欧州デジタル音声放送であるＤＡＢで使用されているフレームの構成を示す説明図である。
【図７】  国内デジタル放送であるＩＳＤＢにおけるキャリアの構成を示す説明図である。
【図８】  ＴＭＣＣキャリアの時間方向の構成を示す説明図である。
【図９】  フレーム毎にビット反転された同期信号が挿入されている例を示す説明図である。
【図１０】  ＴＭＣＣキャリア内の同期信号のＤＢＰＳＫ変調方法を示す説明図である。
【図１１】  ＴＭＣＣキャリア内の同期信号のＤＢＰＳＫ復調方法を示す説明図である。
【図１２】  ＩＳＤＢのデジタル放送受信機におけるフレーム同期処理を示すフローチャートである。
【図１３】  ＤＡＢ受信機によるＮＵＬＬ信号の生成動作を示す説明図である。
【図１４】  ＤＡＢ受信機におけるフレーム同期を示すフローチャートである。
【符号の説明】
１  チューナ、２  アナログ／デジタル（Ａ／Ｄ）コンバータ、３  Ｉ／Ｑ分離器、４  ＦＦＴ処理器、５  キャリア分割器（キャリア分割手段）、６  ＤＢＰＳＫ復調器（ＤＢＰＳＫ復調手段）、７  １フレーム蓄積器（１フレーム蓄積手段）、８  １フレーム遅延回路（１フレーム遅延手段）、９  ＸＯＲ演算器（ＸＯＲ演算手段）、１０  パターン検出器（パターン検出手段）、１１  フレーム誤差変換器（フレーム誤差変換手段）、１２  フレーム同期検出部、３１  キャリア変調器、３２  ＢＰＳＫ変調器、３３，３４  ＤＢＰＳＫ変調器、３５  ＯＦＤＭフレーム構成器、３６  逆ＦＦＴ処理演算器、３７  ガードインターバル付加器、３８  アップコンバータ。
【図１】
0003664931.tif 000007
【図２】
0003664931.tif 000008
【図３】
0003664931.tif 000009
【図４】
0003664931.tif 000010
【図５】
0003664931.tif 000011
【図６】
0003664931.tif 000012
【図７】
0003664931.tif 000013
【図８】
0003664931.tif 000014
【図９】
0003664931.tif 000015
【図１０】
0003664931.tif 000016
【図１１】
0003664931.tif 000017
【図１２】
0003664931.tif 000018
【図１３】
0003664931.tif 000019
【図１４】
0003664931.tif 000020